(57)【特許請求の範囲】
【請求項１】
オイルパン内のオイルを吸い上げ、エンジン内各部に圧送する低圧用オイルポンプと、
この低圧用オイルポンプよりも高圧のオイルを圧送する高圧用オイルポンプとを備えたエンジンにおいて、
前記高圧用オイルポンプの吸込口は、前記低圧用オイルポンプの下流側に接続され、
前記高圧用オイルポンプのロータ軸と前記低圧用オイルポンプ用のロータ軸とを同軸の回転軸として、クランクシャフトの前側下方且つこれと平行に左右方向に延設し、その端部に前記クランクシャフトにより回転駆動されるスプロケットを設け、
下面視で前記高圧用オイルポンプと前記低圧用オイルポンプとの間に、前記低圧用オイルポンプのオイル吸入通路及びオイル吐出通路を配置し、
前記低圧用オイルポンプの吸込口は前記回転軸の後側に配置され、前記低圧用オイルポンプの吐出口は前記回転軸の前側に配置されたことを特徴とするエンジンのオイルポンプ配置構造。
【請求項２】
前記高圧用オイルポンプの吸込口は、オイルフィルタの下流に接続されたことを特徴とする請求項１に記載のエンジンのオイルポンプ配置構造。
【請求項３】
前記高圧用オイルポンプと前記低圧用オイルポンプは前記回転軸に対し、それぞれの吸込口と吐出口とが互いに前後逆側に配置されたことを特徴とする請求項１又は２に記載のエンジンのオイルポンプ配置構造。
【請求項４】
前記高圧用オイルポンプの吐出口は、前記エンジンの前部側にて前記回転軸の後側に配置されると共に、
該高圧用オイルポンプの吐出口から上方に向けて形成されたオイル通路を介して、シリンダ列の前側に配置されたピストンジェット用のオイルデリバリ通路に接続したことを特徴とする請求項３に記載のエンジンのオイルポンプ配置構造。
【請求項５】
前記高圧用オイルポンプの吸込口は、メインギャラリに接続されたことを特徴とする請求項１〜４のいずれか１項に記載のエンジンのオイルポンプ配置構造。
【請求項６】
前記高圧用オイルポンプの下流には、ピストン冷却用オイル通路が接続されたことを特徴とする請求項１〜５のいずれか１項に記載のエンジンのオイルポンプ配置構造。
【発明の詳細な説明】
【技術分野】
【０００１】
本発明は、自動二輪車等をはじめとする車両のエンジンにおけるオイルポンプの配置構造に関する。
【背景技術】
【０００２】
従来、例えば二輪車用エンジンのオイルポンプは、１つ設けられているだけであった。この場合、オイル通路の圧力は、このポンプの能力とオイル通路の最大圧力を制御するリリーフ弁とによって決まっている。オイルポンプは一般に、エンジン各部の潤滑が可能なできるだけ低い圧力と流量に設定できると、オイルポンプの仕事量が減り、メカロス低減ができ、結果としてエンジン出力の向上や低燃費化を図ることができる。
【０００３】
一方、高出力、高回転エンジンにおいては、特にピストンをオイルジェットで効率よく冷却することが、ピストンの軽量化ひいてはエンジン高出力化、低燃費化に繋がる。この場合、シリンダ内を高速で上下動するピストンにオイルを常に当てるためには、噴射するオイルジェットのスピードを上げる、即ち高圧にする必要がある。
【先行技術文献】
【特許文献】
【０００４】
【特許文献１】特開２００６−１５２９２０号公報
【発明の概要】
【発明が解決しようとする課題】
【０００５】
オイルポンプが１つの場合、ピストンに係わる特にその冷却等の要請と、各部の潤滑に係わる要請とを両立させるのが必ずしも容易でない。
なお、特許文献１には低圧用オイルポンプと高圧用オイルポンプとが同一駆動軸によって駆動されるオイルポンプ集合体が開示される。この場合、構成が複雑化する等の問題があった。
【０００６】
本発明はかかる実情に鑑み、比較的簡素な構成で優れた機能を実現するエンジンのオイルポンプ配置構造を提供することを目的とする。
【課題を解決するための手段】
【０００７】
本発明によるエンジンのオイルポンプ配置構造は、オイルパン内のオイルを吸い上げ、エンジン内各部に圧送する低圧用オイルポンプと、この低圧用オイルポンプよりも高圧のオイルを圧送する高圧用オイルポンプとを備えたエンジンにおいて、前記高圧用オイルポンプの吸込口は、前記低圧用オイルポンプの下流側に接続され、前記高圧用オイルポンプのロータ軸と前記低圧用オイルポンプ用のロータ軸とを同軸の回転軸として、クランクシャフトの前側下方且つこれと平行に左右方向に延設し、その端部に前記クランクシャフトにより回転駆動されるスプロケットを設け、下面視で前記高圧用オイルポンプと前記低圧用オイルポンプとの間に、前記低圧用オイルポンプのオイル吸入通路及びオイル吐出通路を配置し、前記低圧用オイルポンプの吸込口は前記回転軸の後側に配置され、前記低圧用オイルポンプの吐出口は前記回転軸の前側に配置されたことを特徴とする。
【０００８】
また、本発明のエンジンのオイルポンプ配置構造において、前記高圧用オイルポンプの吸込口は、オイルフィルタの下流に接続されたことを特徴とする。
【００１０】
また、本発明のエンジンのオイルポンプ配置構造において、前記高圧用オイルポンプと前記低圧用オイルポンプは前記回転軸に対し、それぞれの吸込口と吐出口とが互いに前後逆側に配置されたことを特徴とする。
【００１１】
また、本発明のエンジンのオイルポンプ配置構造において、前記高圧用オイルポンプの吐出口は、前記エンジンの前部側にて前記回転軸の後側に配置されると共に、該高圧用オイルポンプの吐出口から上方に向けて形成されたオイル通路を介して、シリンダ列の前側に配置されたピストンジェット用のオイルデリバリ通路に接続したことを特徴とする。
【００１３】
また、本発明のエンジンのオイルポンプ配置構造において、前記高圧用オイルポンプの吸込口は、メインギャラリに接続されたことを特徴とする。
【００１４】
また、本発明のエンジンのオイルポンプ配置構造において、前記高圧用オイルポンプの下流には、ピストン冷却用オイル通路が接続されたことを特徴とする。
【発明の効果】
【００１５】
本発明によれば、通常のオイルポンプ(低圧用)とは別に、高い油圧を必要とする箇所のみにオイルを圧送するための高圧用オイルポンプを有し、高圧用オイルポンプ側では圧力脈動が小さくなることからキャビテーションが抑制されてポンプ効率が改善されるため、エンジン全体としてのメカロスは低減する。
また、別途高圧の油圧系統を必要とする部品にのみ設けることで、主要油圧系統の油圧を実質的に下げることができ、機械的損失（所謂、メカロス）の低減等を図ると共に、ピストンジェット等の油圧を更に高圧にすることができる。
【図面の簡単な説明】
【００１６】
【図１】本発明の実施形態に係る自動二輪車の全体構成例を示す側面図である。
【図２】本発明の実施形態に係るエンジンユニットの構成例を示す右側面図である。
【図３】本発明の実施形態に係るエンジンユニットの構成例を示す左側面図である。
【図４】本発明の実施形態に係るエンジンユニットにおいてオイルパンを取り外した状態でのクランクケース下面視図である。
【図５】図４のＩ−Ｉ線に沿う断面図である。
【図６】図３のII−II線に沿う断面図である。
【図７】図３のIII−III線に沿う断面図である。
【発明を実施するための形態】
【００１７】
以下、図面に基づき、本発明におけるエンジンのオイルポンプ配置構造の好適な実施の形態を説明する。
先ず、本発明を適用した車両全体構造について説明する。この実施形態においては図１に示すような自動二輪車１００とし、この自動二輪車１００に搭載したエンジンには後述するようにオイルポンプが配置される。なお、以下の説明中で用いる各図において、必要に応じて車両の前方を矢印Ｆｒにより、車両の後方を矢印Ｒｒにより示し、また、車両の側方右側を矢印Ｒにより、車両の側方左側を矢印Ｌにより示す。
【００１８】
自動二輪車１００において車両の前後方向に伸びる車体フレームの前端に、左右に回動自在に支承されたフロントフォーク１０１を備え、このフロントフォーク１０１に前輪１０２が取り付けられる。車体フレームは、略車両前半部を構成するメインフレーム１０３と車両後半部を構成するシートレール１０４からなり、メインフレーム１０３の下方にはエンジンユニット１０が、メインフレーム１０３に対して取り付けられる。
【００１９】
エンジンユニット１０の後上方には、エンジンユニット１０へ供給する空気量を調整するスロットルボディ１０５と、このスロットルボディ１０５に空気を供給するエアクリーナ１０６が上方に向かって連続して接続されている。エアクリーナ１０６の上方にて、燃料タンク１０７がメインフレーム１０３に対して取り付けられおり、前述のスロットルボディ１０５に取り付けられた燃料噴射装置及びフューエルホース（共に図示せず）に接続して、燃料を供給するようになっている。
【００２０】
また、車両前部にはフロントカウル１０８が取り付けられる。フロントカウル１０８には、前照灯１０９や左右一対の方向指示器１１０が備えられている。フロントカウル１０８の下端には、車両側面を覆うサイドカウル１１１が接続され、これらのフロントカウル１０８及びサイドカウル１１１は相互に滑らかに繋がり、エンジンユニット１０が含まれる車両の略前半部を覆う。
【００２１】
メインフレーム１０３の後部には、遥動自在にスイングアーム１１２が取り付けられ、このスイングアーム１１２の後端に後輪１１３が取り付けられ、公知の技術と同様にエンジンユニット１０の動力が伝えられ、これにより後輪１１３が駆動される。シートレール１０４は、メインフレーム１０３の後部上側に接続され、後方且つ上方に向けて延出して設けられる。燃料タンク１０７の後方において、運転者が着座するフロントシート１１４がリアカウル１１５の上面にて配置される。フロントシート１１４は、シートレール１０４に固定される。
【００２２】
フロントシート１１４の後方且つ上方には、同乗者が着座するリアシート１１６が取り付けられている。また、リアシート１１６の下方には、同乗者がその足を乗せるためのピリオンステップ１１７がシートレール１０４の下部にて固定して設けられる。ピリオンステップ１１７は、そのステー１１８がシートレール１０４との取付け位置から後方下方に延出して設けられ、ステー１１８の先端に足を乗せるピリオンステップ１１７が支持される。自動二輪車１００は、概略上記のように構成される。
【００２３】
次に、自動二輪車１００に搭載されるエンジンユニット１０を説明する。エンジンユニット１０はこの例では水冷式直列４気筒４サイクルガソリンエンジンを使用する。なお、エンジン気筒数等は必要に応じて適宜変更可能であり、この例に限定されるものではない。図１及び図２を参照して、エンジンユニット１０においてクランクケース１１、シリンダ１２、シリンダヘッド１３及びシリンダヘッドカバー１４が順次重なるように一体的に結合し、最下部にオイルパン１５が付設される。
【００２４】
クランクケース１１は、クランクケースアッパ１１Ａ及びクランクケースロア１１Ｂが上下に重ね合わさってなり、それらの合せ面にてクランクシャフト１６がエンジンユニット１０の車幅方向（左右方向）に沿って配置支持される。クランクケース１１の後部にはトランスミッションケース１７が結合し、このトランスミッションケース１７内には図示しないカウンタシャフトや複数のトランスミッションギアは配設される。エンジンユニット１０の動力はクランクシャフト１６からトランスミッションを経て最終的にドライブスプロケット１８へ伝達され、このドライブスプロケット１８が後輪１１３（図１）を回転駆動するようになっている。
【００２５】
なお、クランクケース１１及びトランスミッションケース１７、更にはシリンダ１２の一部は相互に一体的に結合し、全体としてエンジンユニット１０のケーシングアセンブリを構成される。このケーシングアセンブリの適所にはエンジン始動用のスタータモータやクラッチ装置等をはじめとする複数の補機類１９が搭載もしくは結合し、これらを含めたエンジンユニット１０全体がマウント部２０を介して車体フレームに搭載支持される。
【００２６】
前述したように本実施形態においてエンジンユニット１０には水冷式直列４気筒４サイクルガソリンエンジンが使用される。エンジン冷却系において詳細な図示は省略するが、シリンダ１２を含むシリンダブロックの周囲には冷却水が循環するようにしたウォータジャケットが構成されると共に、該ウォータジャケットに送給される冷却水を冷却するラジエータを装備する。なお、ラジエータはエンジンユニット１０の前部にて車体フレームの適所に支持される。
【００２７】
また、エンジンユニット１０の可動部に潤滑油を供給して、それらを潤滑するための潤滑系が構成される。この潤滑系には、なお同様に詳細な図示は省略するが、クランクシャフト１６やシリンダヘッド１３内に構成される動弁装置、そしてこれらを連結するカムチェーン、トランスミッション等々が含まれる。本実施形態において潤滑系に対して、後述するように通常のオイルポンプ(低圧用)を使用するが、この低圧用オイルポンプを含めて更に高圧用オイルポンプを有し、これらの油圧ポンプにより油圧系統が構成される。
【００２８】
さて次に、本発明に係る油圧系統について説明する。先ず図４は、エンジンユニット１０からオイルパン１５を取り外した状態でのクランクケース１１（クランクケースロア１１Ｂ）の底面視もしくは下面視を示している。なお、オイルパン１５には図２等に示されるようにオイルストレーナ２１が配設されており、このオイルストレーナ２１を介してオイルパン１５内のオイルがオイルポンプへと吸い込まれる。また、クランクシャフト１６の前側下方且つこれと平行に、オイルポンプのロータ軸となる回転軸２２が設定される。回転軸２２は図４のように左右方向に延設され、その右端部に取り付けたスプロケット２３がクランクシャフト１６の取り付けたスプロケット（図示せず）とチェーンを介して連結され、これによりクランクシャフト１６により回転駆動される。
【００２９】
この例では回転軸２２の右側寄りに低圧用オイルポンプ２４が配置され、またその左側寄りに高圧用オイルポンプ２５が配置される。つまり単一の回転軸２２により、低圧用オイルポンプ２４のロータ軸と高圧用オイルポンプ２５のロータ軸とが同軸且つ一体に構成される。低圧用オイルポンプ２４はオイルストレーナ２１を介して、オイルパン１５内のオイルを吸い上げ、潤滑を要するエンジン内各部にオイルを圧送する。高圧用オイルポンプ２５は後述するようにピストンジェットを形成すべく、低圧用オイルポンプ２４よりも更に高い圧力のオイルを圧送する。
【００３０】
オイルパン１５内のオイルは吸込口２６から吸い上げられ、矢印のように低圧用オイルポンプ２４へ供給される。この例では吸込口２６は回転軸２２の後側に配置され、吐出口２７は回転軸２２の前側に配置され、つまり吸込口２６及び吐出口２７は回転軸２２を挟んでその前後に配置される。吐出口２７には低圧用リリーブバルブ２８（圧力調整弁）が配設され、更にオイル通路２９を通ってオイルクーラ３２の配管接続口３０へと接続される。一対の配管接続口３０，３１の間にはオイルクーラ３２が接続され、オイルクーラ３２で冷却されたオイルが配管接続口３１へ還流される。配管接続口３１はオイルフィルタ３３に接続され、オイルフィルタ３３は更にその下流側でオイル通路３４を介してメインギャラリ３５へと接続される。
【００３１】
メインギャラリ３５は図４に図示のように、クランクケース１１（クランクケースロア１１Ｂ）の左右方向に略その全幅に亘って延設される。また、メインギャラリ３５は図５に図示されるように、クランクケースロア１１Ｂの底部付近に配置される。メインギャラリ３５からは、クランクシャフト１６や動弁装置等を含む潤滑系へオイルを送給するために複数のオイル通路が分岐する。図５の例では、クランクシャフト１６のジャーナル部へ潤滑オイルを供給するためのオイル通路３６がメインギャラリ３５から延出する。
【００３２】
本発明では更に高圧用オイルポンプ２５とメインギャラリ３５の間はオイル通路３７により接続される。オイル通路３７は図５に示されるように一旦、メインギャラリ３５よりも下方を通るように形成され、高圧用オイルポンプ２５の吸込口３８へと接続される。吸込口３８から高圧用オイルポンプ２５へ吸い込まれたオイルは加圧後、吐出口３９から吐出される。この場合、図４に示されるように吸込口３８は回転軸２２の前側に配置され、吐出口３９は回転軸２２の後側に配置され、つまり吸込口３８及び吐出口３９は回転軸２２を挟んでその前後に配置される。吐出口３９には高圧用リリーブバルブ４０（圧力調整弁）が配設される。
【００３３】
図５のようにクランクケースロア１１Ｂにおいて吐出口３９から略上方へ向けてオイル通路４１が形成され、またクランクケースアッパ１１Ａにおいてオイル通路４２が形成される。これらのオイル通路４１，４２はクランクケースアッパ１１Ａ及びクランクケースロア１１Ｂの合せ面にて相互に連通する。オイル通路４２は、クランクケースアッパ１１Ａの前寄り上部付近に形成されたピストンジェット用のオイルデリバリ通路４３に接続される。ここで、図５においてクランクケースアッパ１１Ａの上部にはシリンダ１２が結合し、シリンダ１２内でピストン４４が矢印のように上下動するようになっている。
【００３４】
ピストンジェット用のオイルデリバリ通路４３（前側）は図６のように、クランクケース１１（クランクケースアッパ１１Ａ）の左右方向に略その全幅に亘って延設される。オイルデリバリ通路４３はクランクケースアッパ１１Ａの左外側に設けた連結パイプ４５を介して、ピストンジェット用のオイルデリバリ通路４６（後側）と接続される。これらのオイルデリバリ通路４３，４６は図６のように平面視で、左右方向のシリンダ１２列の前後に相互の平行に配置される。
【００３５】
更に図７に示されるようにそれぞれのオイルデリバリ通路４３，４６には、シリンダ１２に収容される各ピストン４４に対してそのピストンスカート側から点線矢印のようにピストンジェットを噴射するジェットノズル４７が接続配置される。ジェットノズル４７はクランクケースアッパ１１Ａの上部付近にて、各ピストン４４の下死点近傍で前後一対が対向配置される。
【００３６】
本発明によるエンジンのオイルポンプ配置構造は上記のように構成されており、次にその主要な作用効果等について説明する。
本発明のエンジンユニット１０の特に油圧系統において、エンジン始動により回転するクランクシャフト１６によって回転軸２２が回転駆動され、低圧用オイルポンプ２４の作動によりオイルパン１５内のオイルが吸込口２６から吸い上げられる。低圧用オイルポンプ２４の吐出口２７から吐出されたオイルは、オイルクーラ３２、更にはオイルフィルタ３３を経由してメインギャラリ３５へ送給される。オイルはその後メインギャラリ３５からクランクシャフト１６や動弁装置等を含む潤滑系へ送給される。
【００３７】
本発明ではオイルは更にメインギャラリ３５から高圧用オイルポンプ２５へ送給され、高圧用オイルポンプ２５からオイル通路４１，４２を通ってオイルデリバリ通路４３，４６へ送給される。オイルデリバリ通路４３，４６に沿って配設されたジェットノズル４７から各ピストン４４に対してピストンジェットが噴射され、このピストンジェットによりピストン４４を冷却する。
【００３８】
本発明によれば上述のように潤滑系及びピストン冷却系を含む油圧系統において、エンジン内各部にオイルを圧送する低圧用オイルポンプ２４と、更に高い圧力のオイルを圧送する高圧用オイルポンプ２５とを備える。この場合、高圧用オイルポンプ２５の吸込口３８は、低圧用オイルポンプ２４により加圧された側のオイル通路の下流側に接続される。
【００３９】
これにより高圧用オイルポンプ２５の吸込側には常に低圧用オイルポンプ２４による圧力が加えられているため、高圧用オイルポンプ２５がすべき仕事量は小さくなる。一方、低圧用オイルポンプ２４の仕事量は高圧用オイルポンプ２５側で低減された分だけ増加することになるが、高圧用オイルポンプ２５側では圧力脈動が小さくなることからキャビテーションが抑制されてポンプ効率が改善されるため、エンジン全体としてのメカロスは低減する。また、このことは、オイル圧力の脈動による騒音低減に対しても有効である。
【００４０】
また、高圧用オイルポンプ２５の吸込口３８は、オイルフィルタ３３の下流側に接続される。
このようにオイルフィルタ３３で濾過された後のオイル経路、即ちメインギャラリ３５に高圧用オイルポンプ２５を接続することで、低圧用オイルポンプ２４及び高圧用オイルポンプ２５の２つのオイルポンプを持ちながら、単一のオイルフィルタ３３で足りる。
【００４１】
また、図４の下面視等から明らかなように左右方向で低圧用オイルポンプ２４と高圧用オイルポンプ２５との間に、吸込口２６や吐出口２７を含むオイル吸入通路及びオイル吐出通路が配置される。
例えば極低温時(−２０℃以下)でエンジン始動する場合、粘度の大きなオイルを吸い込むためには少しでも吸込みの経路が短い方が有利である。また、オイルストレーナ２１は加速又は旋回時の偏りを考慮してオイルパン１５の中央に置くことが望ましく、オイル吸込み経路も内側からオイルポンプに向かうのが好ましい。オイルポンプに対して吐出通路を吸入通路と逆側に配置すると部品が集約されないので、部品レイアウト上の面から吐出通路も吸入通路と同じように低圧用オイルポンプ２４及び高圧用オイルポンプ２５両オイルポンプの間に配置する構成になっている。
【００４２】
また、高圧用オイルポンプ２５と低圧用オイルポンプ２４は、それらのポンプロータ側面視でそれぞれの吸込口３８及び吐出口３９と吸込口２６及び吐出口２７とが互いに逆側に配置される。
これにより高い油圧が必要な部品、本実施形態では特にピストンジェット用のジェットノズル４７等の取付け箇所に適した吸込口３８や吐出口３９のレイアウトが可能になる。
【００４３】
また、高圧用オイルポンプ２５の吐出口３９は図４及び図５等に示されるように、エンジンの前部側にて吸込口３８よりもエンジン内側に配置される。
これにより吐出口３９からエンジン内部のピストンジェット用油圧経路までオイル通路４１，４２を略上方に接続できるため、オイル通路４１，４２を最短にすることができ、通路抵抗を小さくすることができる。また、エンジン外部に吐出口３９が配置されないので外部配管を不要とし、構成の簡素化を図ることができる。
【００４４】
また、高圧用オイルポンプ２５のロータ軸と低圧用オイルポンプ２４のロータ軸とが、同軸の回転軸２２として構成される。
これにより高圧用オイルポンプ２５と低圧用オイルポンプ２４のそれぞれポンプロータを同軸に回転させることができるため、効率良くこれらのオイルポンプ２４，２５の回転駆動することができる。また、同軸であることから、構成の簡素化や配設スペースの省スペース化等を図ることができる。
【００４５】
また、高圧用オイルポンプ２５の吸込口３８は、メインギャラリ３５に接続される。
これによりメインギャラリ３５からの高油圧系統をピストン４４の冷却やターボ潤滑などに利用することができる。
【００４６】
また、高圧用オイルポンプ２５の下流には、ピストン４４冷却用のオイル通路４１，４２が接続される。
ピストン冷却用のピストンジェットからオイルを噴出させて、ピストン４４の裏側を冷却する必要があるため、他の箇所よりも高い油圧が必要とされる。そこで必要な箇所のみ高圧の油圧系統を設けることで、エンジン全体のメカロスの増加を最低限に抑えることができる。
【００４７】
ここで更に、本発明の特徴的な構成及び技術的効果を説明すると、先ずピストンジェット等、高い油圧を必要とする箇所のみにオイルを圧送するための高圧用オイルポンプ２５を、通常のオイルポンプ(低圧用)とは別に有し、高圧用オイルポンプ２５の吸込口３８をメインギャラリ３５に接続する。
これは、上述のように高圧用オイルポンプ２５側では圧力脈動が小さくなることからキャビテーションが抑制されてポンプ効率が改善されるため、エンジン全体としてのメカロスは低減する。
【００４８】
また、別途高圧の油圧系統を必要とする部品にのみ設けることで、メインの油圧系統の油圧を下げることができ、メカロス低減や主要のオイルポンプ（本発明では低圧用オイルポンプ２４）のキャビテーション発生を抑制することができる。また、メインの油圧で低減されたメカロス分でピストンジェット等の油圧を更に高圧にすることができる。
更に、ピストンジェットはエンジンの高出力化に有効なアイテムで、高圧化がされることでオイルの噴出速度が上がり、高回転域でもピストン裏を冷却することができる。また、同じオイル流量でも狙った箇所を効率良く冷却することができる。
【００４９】
以上、本発明を種々の実施形態と共に説明したが、本発明はこれらの実施形態にのみ限定されるものではなく、本発明の範囲内で変更等が可能である。
上記実施形態において、高圧用オイルポンプ２５をピストンジェットに対して用いる例を説明したが、ピストンジェット以外にも適用可能である。例えば、特に四輪車エンジンの場合においてターボチャージャーや、ＶＶＴ（可変バルブタイミング機構）のオイルコントロールバルブ作動油圧等に対しても有効に適用可能である。
また、本発明の効果として、オイルの圧力脈動を抑制することでオイルポンプ自体の騒音も改善される等の効果が得られる。
【符号の説明】
【００５０】
１０  エンジンユニット、１１  クランクケース１１、１２  シリンダ、１３  シリンダヘッド、１４  シリンダヘッドカバー、１５  オイルパン、１６  クランクシャフト、１７  トランスミッションケース、１８  ドライブスプロケット、１９  補機類、２０  マウント部、２１  オイルストレーナ、２２  回転軸、２３  スプロケット、２４  低圧用オイルポンプ、２５  高圧用オイルポンプ、２６  吸込口、２７  吐出口、２８  低圧用リリーブバルブ、２９  オイル通路、３０，３１  配管接続口、３２  オイルクーラ、３３  オイルフィルタ、３５  メインギャラリ、３８  吸込口、３９  吐出口、４０  高圧用リリーブバルブ、４３，４６  オイルデリバリ通路、４４  ピストン、４５  連結パイプ、４７  ジェットノズル、１００  自動二輪車。
【図１】
0005578050.tif 000002
【図２】
0005578050.tif 000003
【図３】
0005578050.tif 000004
【図４】
0005578050.tif 000005
【図５】
0005578050.tif 000006
【図６】
0005578050.tif 000007
【図７】
0005578050.tif 000008